(57)【要約】      （修正有）【課題】β３アドレナリン受容体のアミノ酸配列の６４位のトリプトファンがアルギニンに置換する変異をもたらす塩基配列の変異（Ｂ３ＡＲ  Ｔｒｐ６４Ａｒｇ変異）を検出する方法を提供する。【解決手段】Ｂ３ＡＲ  Ｔｒｐ６４Ａｒｇ変異を含む領域をＰＣＲで増幅し、末端が蛍光色素で標識され、ハイブリダイゼーションしたときに蛍光色素の蛍光が減少する核酸プローブであって、特定の配列に示す塩基配列において塩基番号１８３から始まる８〜３０塩基長の塩基配列を有し、５’末端が蛍光色素で標識され、または、特定の塩基配列において塩基番号１９６で終わる７〜３０塩基長の塩基配列を有し、３’末端が蛍光色素で標識されている核酸プローブを用いて、蛍光色素の蛍光を測定することにより融解曲線分析を行い、融解曲線分析の結果に基づいて変異を検出する。【選択図】図５
2004313120.tif 000002
【特許請求の範囲】
【請求項１】
末端が蛍光色素で標識され、ハイブリダイゼーションしたときに蛍光色素の蛍光が減少する核酸プローブであって、配列番号１に示す塩基配列において塩基番号１８３から始まる８〜３０塩基長の塩基配列を有し、５’末端が蛍光色素で標識され、または、配列番号２に示す塩基配列において塩基番号１９６で終わる７〜３０塩基長の塩基配列を有し、３’末端が蛍光色素で標識されている前記核酸プローブ。
【請求項２】
核酸プローブが、配列番号８〜１２に示す塩基配列のいずれかを有する請求項１記載の核酸プローブ。
【請求項３】
一塩基多型の部位を有する核酸について、蛍光色素で標識された核酸プローブを用いて、蛍光色素の蛍光を測定することにより融解曲線分析を行い、融解曲線分析の結果に基づいて変異を検出する方法であって、一塩基多型は、β３アドレナリン受容体をコードする核酸における、β３アドレナリン受容体のアミノ酸配列の６４位のトリプトファンがアルギニンに置換する変異をもたらす塩基配列の変異であり、核酸プローブは、請求項１または２に記載の核酸プローブである前記方法。
【請求項４】
試料に含まれる核酸における一塩基多型の部位を含む領域を増幅して一塩基多型を有する核酸を得ることを含む請求項３記載の方法。
【請求項５】
増幅をＤＮＡポリメラーゼを用いる方法により行う請求項４記載の方法。
【請求項６】
増幅を核酸プローブの存在下で行う請求項５記載の方法。
【請求項７】
末端が蛍光色素で標識され、ハイブリダイゼーションしたときに蛍光色素の蛍光が減少する核酸プローブであって、配列番号１に示す塩基配列において塩基番号１８３から始まる８〜３０塩基長の塩基配列を有し、５’末端が蛍光色素で標識され、または、配列番号２に示す塩基配列において塩基番号１９６で終わる７〜３０塩基長の塩基配列を有し、３’末端が蛍光色素で標識されている前記核酸プローブを含む、請求項３記載の方法のためのキット。
【請求項８】
核酸プローブが、配列番号８〜１２に示す塩基配列のいずれかを有する請求項７記載のキット。
【請求項９】
β３アドレナリン受容体をコードする核酸における、β３アドレナリン受容体のアミノ酸配列の６４位のトリプトファンがアルギニンに置換する変異をもたらす塩基配列の変異を含む領域を、ＤＮＡポリメラーゼを用いる方法で増幅するためのプライマーをさらに含む請求項７または８記載のキット。
【発明の詳細な説明】
【０００１】
【発明の属する技術分野】
本発明は、β３アドレナリン受容体変異遺伝子の検出法およびそのためのキットに関する。
【０００２】
【従来の技術】
β３アドレナリン受容体（Ｂ３ＡＲ）は白色脂肪細胞における脂肪分解と褐色脂肪細胞における熱生産に大きな役割を果たしている。このＢ３ＡＲのアミノ酸配列の６４位のトリプトファンがアルギニンに置換している変異（Ｔｒｐ６４Ａｒｇ）が存在すると安静時の代謝量が２００ｋｃａｌ低下するといわれており、この変異と内蔵脂肪型肥満、インスリン抵抗性が関連しているといわれている。
【０００３】
Ｂ３ＡＲにＴｒｐ６４Ａｒｇ変異をもたらす塩基の変異（以下、「Ｂ３ＡＲ  Ｔｒｐ６４Ａｒｇ変異」ともいう）が存在するとその部分に制限酵素の認識部位が出現するため、ＰＣＲで変異部分を含むように増幅を行い、制限酵素で切断し、その後電気泳動で切断されたかどうかを検出するという方法（ＰＣＲ−ＲＦＬＰ）で検出を行うことが知られている。
【０００４】
ＰＣＲは数分子の鋳型から数１０億倍もの分子を増幅するため、増幅産物がほんの少し混入した場合でも偽陽性、偽陰性の原因になり得る。ＰＣＲ−ＲＦＬＰはＰＣＲ反応後に増幅産物を取り出して制限酵素処理を行うという必要があるため、増幅産物が次の反応系に混入する恐れがある。よって、偽陽性、偽陰性の結果が得られてしまうことがある。さらに、ＰＣＲ終了後、制限酵素で処理を行い、その後電気泳動を行うため、検出に必要な時間も非常に長くかかってしまう。また、操作が複雑なため、自動化が困難である。
【０００５】
一方、一般に、変異を含む領域をＰＣＲで増幅した後、蛍光色素で標識された核酸プローブを用いて融解曲線分析を行い、融解曲線分析の結果に基づいて変異を解析する方法が知られている（非特許文献１、特許文献１）。
【０００６】
【非特許文献１】
クリニカルケミストリー（Ｃｌｉｎｉｃａｌ  Ｃｈｅｍｉｓｔｒｙ）、２０００年、第４６巻、第５号、ｐ．６３１−６３５
【特許文献１】
特開２００２−１１９２９１号公報
【０００７】
【発明が解決しようとする課題】
本発明の課題は、Ｂ３ＡＲ  Ｔｒｐ６４Ａｒｇ変異を検出するのに有効な消光プローブを特定し、Ｂ３ＡＲ  Ｔｒｐ６４Ａｒｇ変異を検出する方法及びそのためのキットを提供することを課題とする。
【０００８】
【課題を解決するための手段】
上述のプローブを用いる方法に関する文献においては、プローブの設計に関し、末端部が蛍光色素により標識された消光プローブが標的核酸にハイブリダイゼーションしたとき、末端部分においてプローブ−核酸ハイブリッドの複数塩基対が少なくとも一つのＧとＣのペアを形成するように設計するという教示があるのみである。本発明者らは、Ｂ３ＡＲ  Ｔｒｐ６４Ａｒｇ変異に関し、上記条件を満たす消光プローブを設計し、検出を試みたが、容易に検出を可能とする消光プローブは得られなかった。
【０００９】
本発明者らは、Ｂ３ＡＲ  Ｔｒｐ６４Ａｒｇ変異を含む特定の領域に基づいて消光プローブを設計することにより、消光プローブを用いる融解曲線分析によりＢ３ＡＲ  Ｔｒｐ６４Ａｒｇ変異を検出できることを見出し、本発明を完成した。
本発明は、以下のものを提供する。
【００１０】
（１）末端が蛍光色素で標識され、ハイブリダイゼーションしたときに蛍光色素の蛍光が減少する核酸プローブであって、配列番号１に示す塩基配列において塩基番号１８３から始まる８〜３０塩基長の塩基配列を有し、５’末端が蛍光色素で標識され、または、配列番号２に示す塩基配列において塩基番号１９６で終わる７〜３０塩基長の塩基配列を有し、３’末端が蛍光色素で標識されている前記核酸プローブ。
【００１１】
（２）核酸プローブが、配列番号８〜１２に示す塩基配列のいずれかを有する（１）の核酸プローブ。
【００１２】
（３）一塩基多型の部位を有する核酸について、蛍光色素で標識された核酸プローブを用いて、蛍光色素の蛍光を測定することにより融解曲線分析を行い、融解曲線分析の結果に基づいて変異を検出する方法であって、一塩基多型は、β３アドレナリン受容体をコードする核酸における、β３アドレナリン受容体のアミノ酸配列の６４位のトリプトファンがアルギニンに置換する変異をもたらす塩基配列の変異であり、核酸プローブは、（１）または（２）の核酸プローブである前記方法。
【００１３】
（４）試料に含まれる核酸における一塩基多型の部位を含む領域を増幅して一塩基多型を有する核酸を得ることを含む（３）の方法。
【００１４】
（５）増幅をＤＮＡポリメラーゼを用いる方法により行う（４）の方法。
【００１５】
（６）増幅を核酸プローブの存在下で行う（５）の方法。
【００１６】
（７）末端が蛍光色素で標識され、ハイブリダイゼーションしたときに蛍光色素の蛍光が減少する核酸プローブであって、配列番号１に示す塩基配列において塩基番号１８３から始まる８〜３０塩基長の塩基配列を有し、５’末端が蛍光色素で標識され、または、配列番号２に示す塩基配列において塩基番号１９６で終わる７〜３０塩基長の塩基配列を有し、３’末端が蛍光色素で標識されている前記核酸プローブを含む、（３）の方法のためのキット。
【００１７】
（８）核酸プローブが、配列番号８〜１２に示す塩基配列のいずれかを有する（７）のキット。
【００１８】
（９）β３アドレナリン受容体をコードする核酸における、β３アドレナリン受容体のアミノ酸配列の６４位のトリプトファンがアルギニンに置換する変異をもたらす塩基配列の変異を含む領域を、ＤＮＡポリメラーゼを用いる方法で増幅するためのプライマーをさらに含む（７）または（８）のキット。
【００１９】
【発明の実施の形態】
＜１＞本発明プローブ及び本発明検出方法
本発明プローブは、末端が蛍光色素で標識され、ハイブリダイゼーションしたときに蛍光色素の蛍光が減少する核酸プローブであって、配列番号１に示す塩基配列において塩基番号１８３から始まる８〜３０塩基長の塩基配列を有し、５’末端が蛍光色素で標識され、または、配列番号２に示す塩基配列において塩基番号１９６で終わる７〜３０塩基長の塩基配列を有し、３’末端が蛍光色素で標識されていることを特徴とする。
【００２０】
本発明プローブは、配列番号１に示す塩基配列（Ｂ３ＡＲ  Ｔｒｐ６４Ａｒｇ変異における野生型の塩基を有する配列）において塩基番号１８３から始まる８〜３０塩基長の塩基配列または配列番号２に示す塩基配列（Ｂ３ＡＲ  Ｔｒｐ６４Ａｒｇ変異における変異型の塩基を有する配列）において塩基番号１９６で終わる７〜３０塩基長の塩基配列を有する他は、特許文献１に記載された消光プローブと同様でよい。本発明に使用される消光プローブの塩基配列の例としては、配列番号８〜１２に示すものが挙げられる。蛍光色素としては、特許文献１に記載されたものが使用できるが、具体例としては、ＦＡＭ（商標）、ＴＡＭＲＡ（商標）、ＢＯＤＩＰＹ（商標）  ＦＬ等が挙げられる。蛍光色素のオリゴヌクレオチドへの結合方法は、通常の方法、例えば特許文献１に記載の方法に従って行うことができる。
【００２１】
本発明検出方法は、一塩基多型の部位を有する核酸について、蛍光色素で標識された核酸プローブを用いて、蛍光色素の蛍光を測定することにより融解曲線分析を行い、融解曲線分析の結果に基づいて変異を検出する方法であって、一塩基多型は、Ｂ３ＡＲ  Ｔｒｐ６４Ａｒｇ変異であり、核酸プローブは本発明プローブであることを特徴とする。
【００２２】
本発明検出方法は、Ｂ３ＡＲをコードするＤＮＡのＢ３ＡＲ  Ｔｒｐ６４Ａｒｇ変異を含む領域を増幅すること、及び、本発明プローブを用いることの他は、通常の核酸増幅及び融解曲線分析（Ｔｍ解析）の方法に従って行うことができる。
【００２３】
核酸増幅の方法としては、ＰＣＲポリメラーゼを用いる方法が好ましく、その例としては、ＰＣＲ、ＩＣＡＮ、ＬＡＭＰ等が挙げられる。ＰＣＲポリメラーゼを用いる方法により増幅する場合は、本発明プローブの存在下で増幅を行うことが好ましい。用いるプローブに応じて、増幅の反応条件等を調整することは当業者であれば容易である。これにより、核酸の増幅後にプローブのＴｍを解析するだけなので、反応終了後増幅産物を取り扱う必要がない。よって、増幅産物による汚染の心配がない。また、増幅に必要な機器と同じ機器で検出することが可能なので、容器を移動する必要すらない。よって、自動化も容易である。
【００２４】
以下、ＰＣＲを用いる場合を例として、さらに説明する。ＰＣＲに用いるプライマー対は、本発明プローブがハイブリダイゼーションできる領域が増幅されるようにする他は、通常のＰＣＲにおけるプライマー対の設定方法と同様にして設定することができる。プライマーの長さ及びＴｍは、通常には、１０ｍｅｒ〜４０ｍｅｒで４０〜７０℃、好ましくは１５ｍｅｒ〜２５ｍｅｒで５５〜６０℃である。プライマー対の各プライマーの長さは同一でなくてもよいが、両プライマーのＴｍはほぼ同一（通常には、相違が２℃以内）であることが好ましい。なお、Ｔｍ値は最近接塩基対（Ｎｅａｒｅｓｔ  Ｎｅｉｇｈｂｏｒ）法により算出した値である。プライマー対の例としては、配列番号２及び３に示す塩基配列を有するプライマーからなるものが挙げられる。
【００２５】
ＰＣＲは、本発明で使用される本発明プローブの存在下で行うことが好ましい。これにより、増幅反応終了後に増幅産物を取り扱う操作を行うことなくＴｍ解析を行うことができる。用いるプローブに応じて、プライマーのＴｍやＰＣＲの反応条件を調整することは当業者であれば容易である。
【００２６】
代表的なＰＣＲ反応液の組成を挙げれば、以下の通りである。
【００２７】
【表１】
ＤＮＡ断片                １０１〜１０８分子／反応
プライマー                    ２００〜１０００Ｍ
プローブ                  １００〜１０００ｎＭ
ヌクレオチド            各２０〜２００μＭ
ＤＮＡポリメラーゼ            ０．０１〜０．０３単位／μｌ
Ｔｒｉｓ−ＨＣｌ（ｐＨ  ８．４〜９．０）      ５〜２０ｍＭ
ＭｇＣｌ２                  １．５〜３ｍＭ
ＫＣｌ                    １０〜１００ｍＭ
グリセロール              ０〜２０％
（最終液量：１０〜１００μｌ）
【００２８】
また、代表的な温度サイクルを挙げれば、以下の通りであり、この温度サイクルを通常２５〜４０回繰り返す。
（１）  変性、９０〜９８℃、１〜６０秒
（２）  アニーリング、６０〜７０℃、１０〜６０秒
（３）  伸長、６０〜７５℃、１０〜１８０秒
【００２９】
アニーリング及び伸長を一ステップで行う場合には、６０〜７０℃、１０〜１８０秒の条件が挙げられる。
【００３０】
Ｔｍ解析は、本発明プローブの蛍光色素の蛍光を測定する他は通常の方法に従って行うことができる。蛍光の測定は、蛍光色素に応じた波長の励起光を用い発光波長の光を測定することに行うことができる。Ｔｍ解析における昇温速度は、通常には、０．１〜１℃／秒である。Ｔｍ解析を行うときの反応液の組成は、プローブとその塩基配列に相補的な配列を有する核酸とのハイブリダイゼーションが可能であれば特に制限されないが、通常には、一価の陽イオン濃度が１．５〜５  ｍＭ、ｐＨが７〜９である。ＰＣＲ等のＤＮＡポリメラーゼを用いる増幅方法の反応液は、通常、この条件を満たすので、増幅後の反応液をそのままＴｍ解析に用いることができる。
【００３１】
Ｔｍ解析の結果に基づくＢ３ＡＲ  Ｔｒｐ６４Ａｒｇ変異の検出は通常の方法に従って行うことができる。本発明における検出とは、変異の有無の検出の他、変異型ＤＮＡの定量、野生型ＤＮＡと変異型ＤＮＡの割合の測定も包含する。
【００３２】
＜２＞本発明キット
本発明キットは、本発明の検出方法に用いるためのキットである。このキットは、末端が蛍光色素で標識され、ハイブリダイゼーションしたときに蛍光色素の蛍光が減少する核酸プローブ（消光プローブ）であって、配列番号１に示す塩基配列において塩基番号１８３から始まる８〜３０塩基長の塩基配列を有し、５’末端が蛍光色素で標識され、または、配列番号２に示す塩基配列において塩基番号１９６で終わる７〜３０塩基長の塩基配列を有し、３’末端が蛍光色素で標識されている核酸プローブを含むことを特徴とする。
【００３３】
消光プローブについては、本発明プローブに関し、上記に説明した通りである。
【００３４】
本発明検出キットは、消光プローブの他に、本発明の検出方法における核酸増幅を行うのに必要とされる試薬類、特にＤＮＡポリメラーゼを用いる増幅のためのプライマーをさらに含んでいてもよい。
【００３５】
本発明検出キットにおいて消光プローブ、プライマー及びその他の試薬類は、別個に収容されていてもよいし、それらの一部が混合物とされていてもよい。
【００３６】
【実施例】
以下に、本発明を実施例により具体的に説明する。
【００３７】
【実施例１】
ヒトＢ３ＡＲ遺伝子のＴｒｐ６４Ａｒｇ変異の部位を含む塩基配列（配列番号１）に基づき、Ｔｒｐ６４Ａｒｇ変異を含む部分を増幅できるように表２に示すプライマーを設計した。表２中、位置は、配列番号１に示す塩基配列における塩基番号を示す。
【００３８】
【表２】
2004313120.tif 000003
【００３９】
次に、表３に示す、末端部にＣを有するプローブを設計した。表３中、位置は、配列番号１に示す塩基配列における塩基番号を示す。また、塩基配列中の大文字は、Ｂ３ＡＲ  Ｔｒｐ６４Ａｒｇ変異の部位を示し、３’末端の（Ｐ）は、リン酸化されていることを示す。ＢＯＤＩＰＹ（商標）  ＦＬ又はＴＡＭＲＡ（商標）による標識は、常法に従って行った。
【００４０】
【表３】
2004313120.tif 000004
【００４１】
ゲノムＤＮＡをサンプルとして、Ｓｍａｒｔ  Ｃｙｃｌｅｒ  Ｓｙｓｔｅｍ（Ｃｅｐｈｉｅｄ）を用い、以下の条件でＰＣＲ及びＴｍ解析を行った。Ｔｍ解析における励起波長及び検出波長は、それぞれ４５０〜４９５  ｎｍ及び５０５〜５３７  ｎｍ（ＢＯＤＩＰＹ  ＦＬ）、５２７〜５５５  ｎｍ及び５６５〜６０５  ｎｍ（ＴＡＭＲＡ）であった。
【００４２】
【表４】
2004313120.tif 000005
【００４３】
【表５】
2004313120.tif 000006
【００４４】
各プローブを用いてＰＣＲ及びＴｍ解析を行った結果、プローブ３Ｔ−ｍｔ−２−２０、５ＦＬ−ｗｔ−１−２０、５ＦＬ−ｗｔ−１−１８、５ＦＬ−ｗｔ−１−１６及び５ＦＬ−ｗｔ−１−１５を用いたときのみ、Ｔｍ解析で解析の可能な蛍光強度の変化が認められた。なお、各プローブのＢ３ＡＲ  Ｔｒｐ６４Ａｒｇ変異を含む塩基配列に対する配置を図１及び２に示す。図中、Ｗｉｌｄ配列及びｍｕｔａｎｔ配列は、それぞれ配列番号１及び２の塩基配列の塩基番号１７１〜２０５である。また、図中、Ｆは蛍光色素を示す。図１及び２に示す配置からみて、プローブがＴｍ解析で使用できるかどうかは、蛍光色素を結合させたＣの位置に依存すると考えられ、プローブの長さは、多型部位を含む限り、あまり重要でないと考えられる。
【００４５】
以下、プローブ５ＦＬ−ｗｔ−１−１６を用いて、ゲノムＤＮＡの絶対量に関する感度、及び、再現性を検討した。
【００４６】
ゲノムＤＮＡ（野生型）をそれぞれ、０、２０、２００及び２０００コピー含むサンプルを用いて、上記の方法を繰り返した。結果を図３に示す。図３から明らかなように、２０コピーであっても検出可能であることが示された。
【００４７】
次に、変異型の塩基配列（配列番号２に示す塩基配列）を有するゲノムＤＮＡを調製した。野生型ゲノムＤＮＡとこの変異型ゲノムＤＮＡとを混合したサンプル（ｗｔ／ｍｔ）を１０個調製し、野生型ゲノムＤＮＡのみのサンプル（ｗｔ／ｗｔ）及び変異型ゲノムＤＮＡのみのサンプル（ｍｔ／ｍｔ）とともに、上記の方法を繰り返した。結果を図４に示す。図４から明らかなように、本方法は再現性に優れることが示された。
【００４８】
さらに、プローブ５ＦＬ−ｗｔ−１−１６の代わりにプローブ３Ｔ−ｍｔ−２−２０を用いて同様にゲノムＤＮＡの絶対量に関する感度、及び、再現性を検討した。結果を図５及び６に示す。図５及び６から明らかなように、高感度で再現性に優れることが示された。
【００４９】
なお、図３〜６において縦軸は、蛍光強度の一次導関数の逆符号の値（−ｄＦ／ｄｔ）、横軸は温度（℃）である。
【００５０】
【発明の効果】
本発明によれば、Ｂ３ＡＲ  Ｔｒｐ６４Ａｒｇ変異を検出するのに有効な消光プローブが提供され、さらに、それを用いるＢ３ＡＲ  Ｔｒｐ６４Ａｒｇ変異を検出する方法及びそのためのキットが提供される。Ｔｍ解析は数十秒で完了するため、検出に必要な時間が大幅に短略化出来る。プローブの存在下での核酸の増幅とＴｍ解析を組み合わせる本発明の好ましい態様によれば、核酸の増幅後にプローブのＴｍを解析するだけなので、反応終了後増幅産物を取り扱う必要がない。よって、増幅産物による汚染の心配がない。また、さらに、増幅に必要な機器と同じ機器で検出することが可能なので、容器を移動する必要すらない。よって、自動化も容易である。
【００５１】
【配列表】
2004313120.tif 000007
2004313120.tif 000008
2004313120.tif 000009
2004313120.tif 000010
2004313120.tif 000011
2004313120.tif 000012
2004313120.tif 000013
【図面の簡単な説明】
【図１】変異の識別不可能な消光プローブの位置を示す。
【図２】変異の識別可能な消光プローブの位置を示す。
【図３】実施例１の方法（プローブ５ＦＬ−ｗｔ−１−１６使用）のゲノムＤＮＡの絶対量に関する感度を示す。
【図４】実施例１の方法（プローブ５ＦＬ−ｗｔ−１−１６使用）の再現性を示す。
【図５】実施例１の方法（プローブ３Ｔ−ｍｔ−２−２０使用）のゲノムＤＮＡの絶対量に関する感度を示す。
【図６】実施例１の方法（プローブ３Ｔ−ｍｔ−２−２０使用）の再現性を示す。
【図１】
2004313120.tif 000014
【図２】
2004313120.tif 000015
【図３】
2004313120.tif 000016
【図４】
2004313120.tif 000017
【図５】
2004313120.tif 000018
【図６】
2004313120.tif 000019